(57)【要約】【課題】  ファスナーテープ等の物品が搬送直交方向に不均等に貼着された帯状フィルムを筒状に成形する際に、当該帯状フィルムの横ずれを抑制した縦形製袋充填包装機を提供する。【解決手段】  縦形製袋充填包装機は、物品が搬送直交方向に不均等に貼着された帯状フィルム１００を筒状に成形するフォーマ１０を備えた構成である。フォーマ１０は、搬送されてきた帯状フィルム１００を鉛直方向に折り返すとともに、当該帯状フィルム１００の両側縁部を重ね合わせて下方に案内するガイド部１１と、ガイド部１１の折返し縁部１５に上端が連設され、鉛直下方に延びる筒状部１２と、を含む。ガイド部１１の折返し縁部１５には、少なくとも中央部に、当該折返し縁部１５よりも突き出した突出部１７を設け、且つ、この突出部１７の突出量を、帯状フィルムの物品貼着部分が折返し縁部１５を通過しても、帯状フィルム１００が筒状部１２の円周方向にずれない張力を、当該帯状フィルム１００に与える量に設定してある。【選択図】      図３
2008184210.tif 000002
【特許請求の範囲】
【請求項１】
物品が搬送直交方向に不均等に貼着された帯状フィルムを筒状に成形するフォーマを備えた縦形製袋充填包装機において、
前記フォーマは、
搬送されてきた前記帯状フィルムを鉛直方向に折り返すとともに、当該帯状フィルムの両側縁部を重ね合わせて下方に案内するガイド部と、
前記ガイド部の折返し縁部に上端が連設され、鉛直下方に延びる筒状部と、を含み、
前記ガイド部の折返し縁部には、少なくとも中央部に、当該折返し縁部よりも突き出した突出部を設け、
且つ、前記突出部の突出量を、前記帯状フィルムの物品貼着部分が前記折返し縁部を通過しても、当該帯状フィルムが前記筒状部の円周方向にずれない張力を、当該帯状フィルムに与える量に設定してあることを特徴とする縦形製袋充填包装機。
【請求項２】
前記フォーマの筒状部に組付けられ、当該筒状部に沿って軸方向へ移動可能な突出調整部材を備え、この突出調整部材の上端縁に前記突出部が形成され、当該突出部が前記ガイド部の折返し縁部に沿って配置されていることを特徴とする請求項１の縦形製袋充填包装機。
【請求項３】
前記突出調整部材は、前記筒状部に沿って軸方向へ一定の範囲で移動自在に組み込まれているとともに、弾力性を有した付勢手段によって前記突出部が前記折返し縁部よりも突き出す方向に常時付勢されていることを特徴とする請求項２の縦形製袋充填包装機。
【発明の詳細な説明】
【技術分野】
【０００１】
この発明は、連続的に搬送される帯状フィルムを袋状に成形するとともに、その内部へ製品を充填する機能を備えた縦形製袋充填包装機に関する。
【背景技術】
【０００２】
従来、縦形製袋充填包装機で成形される包装袋には、開口部にファスナーを貼着したものがある。この種のファスナー付包装袋を成形できる機能を備えた縦形製袋充填包装機には、例えば、特許文献１や特許文献２に開示されたものが知られている。
【０００３】
特許文献１の図１２や特許文献２の図７に示すように、この種の縦形製袋充填包装機は、帯状フィルムの搬送経路上に、ファスナーテープを貼着する工程が設けられている。この工程でファスナーテープが貼着された帯状フィルムは、その後、フォーマと称する成形体に送り込まれて両側縁部が重ね合わされ、続いてその重合部分が熱シールされて筒状に成形される。フォーマは、搬送されてきた帯状フィルムをほぼ垂直方向に折り返しながら、筒状フィルムに成形する折返し縁部を有している。
【０００４】
さて、帯状フィルムのファスナーテープＴ（物品）が貼着された部分が、フォーマの折返し縁部を通過する際には、ファスナーテープＴが貼着されていない部分の通過時よりも強い抵抗が生じる。特許文献１や特許文献２の構成では、帯状フィルムの両側縁部が重ね合わされ熱シールされた縦シール部が包装袋の略中央に位置するため、ファスナーテープＴは帯状フィルムの略中央に貼着されていた。そのため、帯状フィルムのファスナーテープＴが貼着された部分がフォーマの折返し縁部を通過しても、帯状フィルムに生じる抵抗が均等にかかるため、帯状フィルムがずれることはなかった。
【０００５】
しかしながら、図７に示すようなファスナーテープＴを内面に貼着され、帯状フィルム１００の両側縁部の重なり合った部分が一側方に位置する包装袋の場合、ファスナーテープＴは帯状フィルム１００の中心線よりも片側の領域に貼着される。そのため、帯状フィルムがフォーマの折返し縁部を通過する際には、帯状フィルム１００のファスナーテープＴが貼着された部分に、ファスナーテープＴが貼着されていない部分よりも強い抵抗が生じ、図４（ａ）に示すように帯状フィルムがファスナーテープＴの貼着されていない側に円周方向にずれていき、帯状フィルムの両側縁部が重なり合わなくなり、包装袋が製袋できないことがあった。
【特許文献１】特開２００６−３６２８６号公報
【特許文献２】特開２００５−８２３１号公報
【発明の開示】
【発明が解決しようとする課題】
【０００６】
本発明は、上記のような実情を鑑みてなされたもので、物品が搬送直交方向に不均等に貼着された帯状フィルムを筒状に成形する際、搬送されてきた帯状フィルムに所定張力を与えて緊張させることで、物品が貼着された帯状フィルム部分がフォーマの折返し縁部を通過する際の帯状フィルムの横ずれ（筒状部円周方向のずれ）を抑制することを目的とする。
【課題を解決するための手段】
【０００７】
上記目的を達成するために、本発明は、物品が搬送直交方向に不均等に貼着された帯状フィルムを筒状に成形するフォーマを備えた縦形製袋充填包装機において、フォーマを次のように構成したことを特徴とする。
すなわち、フォーマは、搬送されてきた帯状フィルムを鉛直方向に折り返すとともに、当該帯状フィルムの両側縁部を重ね合わせて下方に案内するガイド部と、ガイド部の折返し縁部に上端が連設され、鉛直下方に延びる筒状部と、を含み、ガイド部の折返し縁部には、少なくとも中央部に、当該折返し縁部よりも突き出した突出部を設け、且つ、突出部の突出量を、帯状フィルムの物品貼着部分が折返し縁部を通過しても、当該帯状フィルムが筒状部の円周方向にずれない張力を、当該帯状フィルムに与える量に設定してあることを特徴とする。
【０００８】
かかる構成によれば、帯状フィルムが折返し縁部において突出部に乗り上げるため、当該帯状フィルムに張力が作用して緊張する。このため、帯状フィルムには横ずれできるゆとりがなくなる。その結果、帯状フィルムの中心線よりも片側にファスナーテープが貼着されている等の事情があっても、帯状フィルムの横ずれを抑制することができる。
【０００９】
また、フォーマの筒状部に組付けられ、当該筒状部に沿って軸方向へ移動可能な突出調整部材を備え、この突出調整部材の上端縁に突出部が形成され、当該突出部がガイド部の折返し縁部に沿って配置された構成とすることもできる。
このように構成することで、突出部の突き出し量を調整することが可能となる。
【００１０】
さらに、突出調整部材を、筒状部に沿って軸方向へ一定の範囲で移動自在に組み込み、さらに弾力性を有した付勢手段によって突出部を折返し縁部よりも突き出す方向へ常時付勢する構成とすることもできる。
これにより、突出部への接触により帯状フィルムに過大な張力が作用した場合、付勢手段による付勢力に抗して突出調整部材が移動して、突出部の突き出し量を減少させることで、帯状フィルムに作用する張力を小さくすることができる。
【発明の効果】
【００１１】
以上説明したように、本発明によれば、物品が搬送直交方向に不均等に貼着された帯状フィルムを筒状に成形する際、搬送されてきた帯状フィルムに所定張力を与えて緊張させることで、物品の貼着された帯状フィルム部分がフォーマの折返し縁部を通過する際の帯状フィルムの横ずれを抑制することができる。
【発明を実施するための最良の形態】
【００１２】
以下、この発明の実施の形態について図面を参照して詳細に説明する。
図１乃至図４は、本発明の実施形態に係る縦形製袋充填包装機を説明するための図であり、図１は、本実施形態に係る縦形製袋充填包装機の全体構成を示す斜視図である。
図１に示すように、本実施形態の縦形製袋充填包装機は、リール１と、ファネルチューブ２と、フォーマ１０と、繰出しベルト３と、縦シーラ４と、横シーラ５と、を備えている。また、本実施形態において成形される包装袋は、図７に示したように包装袋２００内の周面にファスナーテープＴが貼着されたものである。
【００１３】
縦形製袋充填包装機のリール１には、帯状フィルム１００が巻回されている。帯状フィルム１００は、複数の繰出し用ローラ６及び搬送用ローラ７によってリール１から連続的に繰り出され、フィルム搬送経路を経由して、フォーマ１０に搬送されてくる。フィルム搬送経路には、帯状フィルム１００と対向するようにファスナー取付装置８が配設してある。このファスナー取付装置８は、帯状フィルムの中心線よりも片側に、ファスナーテープＴ（物品）を一定間隔ごと仮止め（貼着）する構成である。
【００１４】
ファネルチューブ２は、上部に逆円錐形状のホッパ９が連設しており、さらに、ファネルチューブ２の中空部内には、螺旋状の羽根を有するオーガ軸（図示せず）が同軸上に配設してある。包装袋２００に充填される被充填物は、ホッパ９内に連続的に供給されるとともに、オーガ軸の回転に伴ってファネルチューブ２内を下方向へと移送され、ファネルチューブ２の下端開口部２ａから落下して、包装袋２００に充填される。
【００１５】
フォーマ１０は、ファネルチューブ２の上部外周面を非接触で囲むようにして設けられている。このフォーマ１０は、搬送されてきた帯状フィルム１００を、筒状に成形するとともに、ファネルチューブの外周に沿って鉛直下方向に送り出す機能を有している。フォーマ１０の具体的構成は後述する。
フォーマ１０の下側には、筒状に成形された帯状フィルム１００を鉛直下方向に搬送させる繰出しベルト３が設けられている。
【００１６】
図２は、本実施形態に係る縦形製袋充填包装機の縦シーラの設置位置を模式的に示す平面図である。
図１及び図２に示すように、縦シーラ４は、フォーマ１０の下方位置で、ファネルチューブ２の外周に沿って左右一対設けられている。一方の縦シーラ４（図２の右側にある縦シーラ）は、帯状フィルム１００の重合部１０３を縦シールし、他方の縦シーラ４（図２の左側にある縦シーラ）は、帯状フィルム１００の重合部１０３と反対の位置にある折畳み部１０４を縦シールする。
【００１７】
図１に戻り、横シーラ５は、横方向に往復駆動するヒータブロックを有した構成であり、ファネルチューブ２の下側に設置されている。この横シーラ５の内部には切断刃５ａが設けられている。この横シーラ５は、搬送されてきた筒状の帯状フィルム１００を幅方向に熱シールし、さらに切断刃５ａによって幅方向に切断する構成である。
【００１８】
また、横シーラ５の下側には帯状フィルム１００にファスナーテープＴを貼着するファスナー融着ヒータ５ｂが設けられている。ファスナー取付装置８によって帯状フィルム１００に仮止めされていたファスナーテープＴは、このファスナー融着ヒータ５ｂにより両面から押圧されて、包装袋２００の内面に熱シールされる。
【００１９】
図３は、本実施形態に係る縦形製袋充填包装機のフォーマを示す図であり、（ａ）は上面図、（ｂ）は正面図、（ｃ）は側面図、（ｄ）はＡ部分の拡大図である。
同図に示すように、本実施形態のフォーマ１０は、搬送されてくる帯状フィルム１００を鉛直下方に折り返して案内するガイド部１１と、このガイド部１１の折返し縁部に上端が連設され、筒状に帯状フィルム１００を成形して下方に搬送する筒状部１２と、を備えている。
【００２０】
フォーマ１０のガイド部１１は、平坦面に形成され傾斜した背面ガイド１３と、この背面ガイド１３から湾曲面に形成された側面ガイド１４と、により構成される。背面ガイド１３は、略三角形状の平坦面に形成され、その底辺は帯状フィルム１００の幅寸法に対応しており、頂部は筒状部１２と連設する位置にある。側面ガイド１４は、背面ガイド１３の側辺を始端として、筒状部１２を回り込むようにして湾曲面が形成されている。
【００２１】
筒状部１２の上端は、ガイド部１１に連設されている。この筒状部１２の連設している部分がガイド部１１の折返し縁部１５となっている。そして、筒状部１２は、上端からファネルチューブ２の外周を囲うように垂下している。
【００２２】
フォーマ１０に搬送されてきた帯状フィルム１００は、背面ガイド１３に沿って搬送される。一方、帯状フィルム１００の両端部１０１、１０２は、すぐに側面ガイド１４の領域に入り、側面ガイド１４の湾曲面に従って円弧状の軌道を描きがら側面ガイド１４を回り込む。これにより帯状フィルム１００は、ガイド部１１と筒状部１３との間の折返し縁部１５において、鉛直下方向に折り返されて、筒状に成形される。そして、ファネルチューブ２の外周面に沿って下方向に搬送されていく。
【００２３】
また、筒状部１２には、帯状フィルム１００が搬送されてきた搬送経路と逆の位置に切欠部１６が形成してあり、筒状に成形された帯状フィルム１００の両端部１０１、１０２がこの切欠部１６を通して筒状部１２の外側に露出し、縦シーラ４へと案内されていく。
【００２４】
図４は、縦形製袋充填包装機において筒状に成形された帯状フィルムを模式的に示した断面図であり、（ａ）は従来のフォーマによる図、（ｂ）は本実施形態のフォーマによる図である。
ここで従来のフォーマは、帯状フィルム１００の折り込みがスムーズに行われるように、ガイド部１１と筒状部１２との間の折返し縁部１５が平滑に削られており、搬送されてくる帯状フィルム１００はそのまま筒状に折り込まれていた。しかしながら、ファスナーテープＴが帯状フィルム１００の片方に偏って貼着されている場合は、ファスナーテープＴが折返し縁部１５を通過する際に、帯状フィルム１００の折り込みに対する抵抗に、ファスナーテープＴがある側とない側で差異が生じて、図４（ａ）に示すように、抵抗の小さい方（ファスナーテープがない方）に、帯状フィルム１００がずれてしまうことがあった。
【００２５】
そこで、本実施形態のフォーマ１０では、図３（ｃ）、（ｄ）に示すように、ガイド部１１と筒状部１２との間の折返し縁部１５における中央部分、すなわち背面ガイド１３の頂部とその周辺部位に、上方に突き出した突出部１７を形成してある。この突出部１７の突出量Ｄは、帯状フィルム１００にファスナーテープＴが貼着された部分が、折返し縁部１５を通過しても横ずれしない張力を付加して緊張するように調整してある。
【００２６】
なお、突出部１７の表面は、帯状フィルム１００を傷付けることがないよう、滑らかな湾曲面に加工してある。
【００２７】
また、本発明は、上述した実施形態に限定されるものではなく、種々の変形例や応用例をもって構成できることは勿論である。
例えば、製袋される包装袋２００は、ファスナー付のものに限定されるわけではなく、逆止弁や脱酸素剤等の物品が不均等に貼着された帯状フィルム１００を製袋させた場合でも適用可能である。
また、突出部１７は、折返し縁部１５の中央部のみならず、折返し縁部１５に沿って任意の長さにわたり延在するように形成してもよい。
【００２８】
〔変形例１〕
図５は、本発明の変形例を示す縦形製袋充填包装機のフォーマを示す図であり、（ａ）は側面図、（ｂ）は背面図である。
図５に示すように、本変形例のフォーマ１０は、筒状部１２に沿って軸方向に摺動可能な突出調整部材１８が筒状部１２の内周面に組み付けてある。この突出調整部材１８は、筒状部１２に設けた長孔１２ａに取付ねじ１８ａをもって締結してあり、取付ねじ１８ａを緩めることで、長孔１２ａに沿って筒状部１２に沿った軸方向に固定位置を移動調節することができる。
突出調整部材１８の上端縁に突出部１７が形成してある。すなわち、突出調整部材１８の上端縁は、ガイド部１１と筒状部１２との間の折返し縁部１５に沿って配置され、筒状部１２に沿った軸方向の移動をもって折返し縁部１５からの突出量Ｄを任意に調整できる構成となっている。
したがって、突出調整部材１８の移動調整により、帯状フィルム１００に付加する張力の大きさを任意に調整でき、供給される帯状フィルムの厚さや強度の違いに応じて柔軟に対応することが可能となる。
【００２９】
〔変形例２〕
図６は、本発明の他の変形例を示す縦形製袋充填包装機のフォーマを示す図であり、（ａ）は側面図、（ｂ）は背面図である。
図６に示すように、本変形例のフォーマ１０は、突出調整部材１８を筒状部１２の内周面に筒状部１２に沿った軸方向に移動自在に組み込み、突出調整部材１８に設けられたストッパピン１８ａと筒状部１２に設けられた長孔１２ａにより突出調整部材１８の移動範囲が規制されるとともに、弾力性を有する付勢ばね（付勢手段）１９により突出調整部材１８を常時突き出し方向へ付勢する構成としてある。
突出調整部材１８の上端縁に形成した突出部１７は、付勢ばね１９の付勢力をもってガイド部１１と筒状部１２との間の折返し縁部１５から突き出している。しかし、突出部１７に接触する帯状フィルム１００に過大な張力が作用したときは、付勢ばね１９による付勢力に抗して突出調整部材１８が引き込み方向に移動して、突出部１７の突き出し量を減少させることで、帯状フィルム１００に作用する張力を小さくすることができる。
これにより、帯状フィルム１００が過大な張力作用によって損傷することを防止できる。
【図面の簡単な説明】
【００３０】
【図１】本実施形態に係る縦形製袋充填包装機の全体構成を示す斜視図である。
【図２】本実施形態に係る縦形製袋充填包装機の縦シーラの設置位置を模式的に示す平面図である。
【図３】本実施形態に係る縦形製袋充填包装機のフォーマを示す図であり、（ａ）は上面図、（ｂ）は正面図、（ｃ）は側面図、（ｄ）はＡ部分の拡大図である。
【図４】縦形製袋充填包装機において筒状に成形された帯状フィルムを模式的に示した断面図であり、（ａ）は従来のフォーマによる図、（ｂ）は本実施形態のフォーマによる図である。
【図５】本発明の変形例を示す縦形製袋充填包装機のフォーマを示す図であり、（ａ）は側面図、（ｂ）は背面図である。
【図６】本発明の他の変形例を示す縦形製袋充填包装機のフォーマを示す図であり、（ａ）は側面図、（ｂ）は背面図である。
【図７】ファスナー付の４方シール包装袋を示す斜視図である。
【符号の説明】
【００３１】
１：リール、２：ファネルチューブ、３：繰出しベルト、４：縦シーラ、５：横シーラ、６：繰出し用ローラ、７：搬送用ローラ、８：ファスナー取付装置、９：ホッパ、
１０：フォーマ、１１：ガイド部、１２：筒状部、１３：背面ガイド、１４：側面ガイド、１５：折返し縁部、１６：切欠部、１７：突出部、１８：突出調整部材、１９：付勢ばね、
１００：帯状フィルム、１０１、１０２：側縁部、１０３：重合部、１０４：折畳み部
２００：包装袋
Ｄ：突出量、Ｔ：ファスナーテープ
【図１】
2008184210.tif 000003
【図２】
2008184210.tif 000004
【図３】
2008184210.tif 000005
【図４】
2008184210.tif 000006
【図５】
2008184210.tif 000007
【図６】
2008184210.tif 000008
【図７】
2008184210.tif 000009